(57)【要約】      （修正有）【課題】簡易な構造を採用することによって製造コストを低減させる一方で、爪の手入れを容易に行うことができ、かつ、高い整形性能を備える爪手入れ具を提供する。【解決手段】開示する爪手入れ具１の一形態は、板状の基部２と、基部表面４に施される凸部１０と、基部表面４に施される凹部１６と、爪を研削する研削部１８と、を備え、凸部１０と凹部１６とが、基部２の長手方向及び短手方向に繰り返し規則的に配置され、かつ、凸部１０が、網点状に配置され、凸部１０の先端部が研削部１８であることを特徴とする。【選択図】図６
0003212753.tif 000002
【実用新案登録請求の範囲】
【請求項１】
板状の基部と、
前記基部表面に施される凸部と、
前記基部表面に施される凹部と、
爪を研削する研削部と、を備え、
前記凸部と前記凹部とが、前記基部の長手方向及び短手方向に繰り返し規則的に配置され、かつ、前記凸部が、網点状に配置され、前記凸部の先端部が前記研削部であることを特徴とする爪手入れ具。
【請求項２】
前記凸部が、略円柱形状を成すことを特徴とする請求項１に記載の爪手入れ具。
【請求項３】
前記基部の材質が、ガラスであることを特徴とする請求項１又は２に記載の爪手入れ具。
【請求項４】
前記凹部の材質が、前記基部の材質と同一であり、
前記凸部の下層部の材質が、前記基部の材質と同一であり、前記凸部の上層部の材質が、金属であることを特徴とする請求項１乃至３の何れか一に記載の爪手入れ具。
【請求項５】
前記凸部の上層部の材質が、Chromium（クロミウム）であることを特徴とする請求項４に記載の爪手入れ具。
【考案の詳細な説明】
【技術分野】
【０００１】
爪の長さや形を整えたり、爪表面を磨いたり、甘皮処理を行なったりすることができる爪手入れ具の技術に関する。
【背景技術】
【０００２】
ファッションであっても、ビジネスの場面であっても、指先、つまり、爪の手入れは、小さい部分ではあるが、相手方に良い印象を与えた結果、事態が好転することも有り得るという意味においては非常に重要な行為である。
【０００３】
そのような環境下、爪の手入れを行う器具についての研究・開発は活発に行われており、種々の技術的提案が行われている。例えば、特許文献１では、手足のつめ及びかかとなどの皮膚角質を掃除するための美容器具が提案されている。
【先行技術文献】
【特許文献】
【０００４】
【特許文献１】特許第４２９０７５８号公報
【考案の概要】
【考案が解決しようとする課題】
【０００５】
しかしながら、上記従来技術は、器具表面の機構が複雑であることによって、器具の製造の難易度が高くなり、その結果、製造コストが高くなってしまうという問題点がある。
【０００６】
そこで、本考案では、上記問題点に鑑み、簡易な構造を採用することによって製造コストを低減させる一方で、爪の手入れを容易に行うことができ、かつ、高い整形性能を備える爪手入れ具を提供することを目的とする。
【課題を解決するための手段】
【０００７】
開示する爪手入れ具の一形態は、板状の基部と、前記基部表面に施される凸部と、前記基部表面に施される凹部と、爪を研削する研削部と、を備え、前記凸部と前記凹部とが、前記基部の長手方向及び短手方向に繰り返し規則的に配置され、かつ、前記凸部が、網点状に配置され、前記凸部の先端部が前記研削部であることを特徴とする。
また、開示する爪手入れ具の一形態は、上記構成に加え、前記凸部が、略円柱形状を成すことを特徴とする。
また、開示する爪手入れ具の一形態は、上記構成に加え、前記基部の材質が、ガラスであることを特徴とする。
【０００８】
また、開示する爪手入れ具の一形態は、上記構成に加え、前記凹部の材質が、前記基部の材質と同一であり、前記凸部の下層部の材質が、前記基部の材質と同一であり、前記凸部の上層部の材質が、金属であることを特徴とする。
また、開示する爪手入れ具の一形態は、上記構成に加え、前記凸部の上層部の材質が、Chromium（クロミウム）であることを特徴とする。
【考案の効果】
【０００９】
開示する爪手入れ具は、簡易な構造を採用することによって製造コストを低減させる一方で、爪の手入れを容易に行うことができ、かつ、高い整形性能を備える。
【図面の簡単な説明】
【００１０】
【図１】本実施の形態に係る爪手入れ具の正面図である。
【図２】本実施の形態に係る爪手入れ具の側面図である。
【図３】本実施の形態に係る爪手入れ具の平面図である。
【図４】本実施の形態に係る爪手入れ具の底面図である。
【図５】本実施の形態に係る爪手入れ具の表面拡大図（Ａ−Ａ部分拡大図）である。
【図６】本実施の形態に係る爪手入れ具の拡大断面図（Ｂ−Ｂ拡大断面図）である。
【図７】本実施の形態に係る爪手入れ具の斜視図である。
【考案を実施するための形態】
【００１１】
図面を参照しながら、本考案を実施するための形態について説明する。
（本実施の形態に係る爪手入れ具の構造）
図１乃至７を用いて、本実施の形態に係る爪手入れ具１の構造について説明する。図１乃至７で示すように、爪手入れ具１は、基部２、凸部１０、凹部１６、研削部１８を有する。
【００１２】
基部２は、爪手入れ具１の基礎（土台）となる部位であり、板形状を成す部位である。図１乃至７で示すように、基部２は、長手方向６の端部が丸い形状を成している。基部２は、ガラスを材料とすることが好適であるが、その他の材料を使用して形成されても良い。
【００１３】
凸部１０は、基部２の表面に配置される突起形状を成す部位である。凸部１０は、上層部１４・下層部１２の２層に分かれており、下層部１２の材質は、基部２の材質と同一のもので形成され、ガラスを材料とすることが好適である。一方、凸部１０の上層部１４は、Chromium（クロミウム）等の金属で形成される。凸部１０は、凹部１６との相対的観点から“突起形状を成す部位”と説明しているが、下層部１２は、基部２の一部と考えても良い。
【００１４】
図５及び６で示すように、凸部１０の外形状は、略円柱形状であることが好適であるが、製造上の都合等により、例えば、上層部１４から下層部１２に掛けて広がった山形形状となっていても良い。
【００１５】
凹部１６は、基部２の表面に配置される凹んだ形状を成す部位である。凹部１６は、凸部１０との相対的観点から“凹んだ形状を成す部位”と説明しているが、基部２の一部と考えても良い。凹部１６の材質は、基部２の材質と同一のもので形成され、ガラスを材料とすることが好適である。
【００１６】
図５及び６で示すように、凸部１０及び凹部１６は、基部２の表面４において、その長手方向６及び短手方向８に繰り返し規則的に配置され、かつ、凸部１０は、表面４において網点状に配置される。また、凸部１０を構成するそれぞれの突起（略円柱形状のもの）は、長手方向６及び短手方向８について、互い違いに現れるように配置される。
研削部１８は、爪の先端又は表面を研削するための部位である。研削部１８は、凸部１０の上層部１４の先端部位で形成される。
【００１７】
爪手入れ具１の製造方法の一例としては、ガラス板表面にChromium（クロミウム）を塗布し、そのChromium（クロミウム）を凸部１０が残る（凹部１６の部分を取り除く）ようにエッチングした後、Chromium（クロミウム）が取り除かれたガラス部位のみエッチングすることによって、基部表面４に凸部１０、凹部１６を形成する。そして、凸部１０、凹部１６が表面４に形成されたガラス板を適切な大きさにカットし、カットされたものの長手方向６端部を丸くカットすることによって、爪手入れ具１が製造される。
上記のように、爪手入れ具１は、簡易な構造が採用され、それによって製造コストを低減させることができる。
（本実施の形態に係る爪手入れ具の使用方法）
【００１８】
図１乃至７を用いて、爪手入れ具１の使用方法について説明する。爪手入れ具１の使用者は、形を整えたい爪の先端に基部表面４（凸部１０）を当て、爪先端が希望する形となるように、爪手入れ具１を長手方向６に往復させ、爪先端の形を整える。
【００１９】
次に、爪手入れ具１の使用者は、基部２の丸くなった端部を爪の甘皮部分に当て、爪手入れ具１をやさしく撫でるように動かすことによって、甘皮部分の形を整える。
【００２０】
そして、爪手入れ具１の使用者は、形を整えたい爪の表面に基部表面４（凸部１０）を当て、爪表面が希望する形となるように、爪手入れ具１を長手方向６に往復させ、爪表面の形を整える。
上記のように、爪手入れ具１を使用することによって、爪の手入れを容易に行うことができ、かつ、爪を見栄えの良く整形することができる。
【００２１】
以上、本考案の実施の形態について詳述したが、本考案は係る特定の実施の形態に限定されるものではなく、実用新案登録請求の範囲に記載された本考案の要旨の範囲において、種々の変形・変更が可能である。
【符号の説明】
【００２２】
１    爪手入れ具
２    基部
４    基部表面
６    基部の長手方向
８    基部の短手方向
１０  凸部
１２  凸部の下層部
１４  凸部の上層部
１６  凹部
１８  研削部
【図１】
0003212753.tif 000003
【図２】
0003212753.tif 000004
【図３】
0003212753.tif 000005
【図４】
0003212753.tif 000006
【図５】
0003212753.tif 000007
【図６】
0003212753.tif 000008
【図７】
0003212753.tif 000009